(57)【特許請求の範囲】
【請求項１】
マクロセル基地局及び前記マクロセル基地局の通信範囲と重複する通信範囲を有し、前記マクロセル基地局よりも通信範囲が狭いピコセル基地局双方の通信範囲にある自移動局装置の移動速度と、プライマリコンポーネントキャリアの受信品質及びセカンダリコンポーネントキャリアの受信品質の差と自移動局装置の移動速度に応じて変化する閾値との比較に基づいて、前記ピコセル基地局にプライマリコンポーネントキャリアを割り当てると判定する判定部を備える移動局装置。
【請求項２】
前記判定部は、前記自移動局装置の位置に基づいて、前記ピコセル基地局にプライマリコンポーネントキャリアを割り当てると判定する請求項１に記載の移動局装置。
【請求項３】
マクロセル基地局及び前記マクロセル基地局の通信範囲と重複する通信範囲を有するピコセル基地局双方の通信範囲にある移動局装置の移動速度と、プライマリコンポーネントキャリアの受信品質及びセカンダリコンポーネントキャリアの受信品質の差と前記移動局装置の移動速度に応じて変化する閾値との比較に基づいて、前記ピコセル基地局にプライマリコンポーネントキャリアを割り当てると判定する判定部を備えるネットワーク制御装置。
【請求項４】
前記判定部は、前記移動局装置の位置に基づいて、前記ピコセル基地局にプライマリコンポーネントキャリアを割り当てると判定する請求項３に記載のネットワーク制御装置。
【請求項５】
マクロセル基地局及び前記マクロセル基地局の通信範囲と重複する通信範囲を有し、前記マクロセル基地局よりも通信範囲が狭いピコセル基地局双方の通信範囲にある移動局装置の移動速度と、プライマリコンポーネントキャリアの受信品質及びセカンダリコンポーネントキャリアの受信品質の差と前記移動局装置の移動速度に応じて変化する閾値との比較に基づいて、前記ピコセル基地局にプライマリコンポーネントキャリアを割り当てると判定する判定部を備える通信システム。
【請求項６】
判定部が、マクロセル基地局及び前記マクロセル基地局の通信範囲と重複する通信範囲を有し、前記マクロセル基地局よりも通信範囲が狭いピコセル基地局双方の通信範囲にある移動局装置の移動速度と、プライマリコンポーネントキャリアの受信品質及びセカンダリコンポーネントキャリアの受信品質の差と前記移動局装置の移動速度に応じて変化する閾値との比較に基づいて、前記ピコセル基地局にプライマリコンポーネントキャリアを割り当てると判定する手順を有する制御方法。
【請求項７】
コンピュータに、
マクロセル基地局及び前記マクロセル基地局の通信範囲と重複する通信範囲を有し、前記マクロセル基地局よりも通信範囲が狭いピコセル基地局双方の通信範囲にある移動局装置の移動速度と、プライマリコンポーネントキャリアの受信品質及びセカンダリコンポーネントキャリアの受信品質の差と前記移動局装置の移動速度に応じて変化する閾値との比較に基づいて、前記ピコセル基地局にプライマリコンポーネントキャリアを割り当てると判定するステップを実行させるための制御プログラム。
【発明の詳細な説明】
【技術分野】
【０００１】
本発明は、移動局装置、ネットワーク制御装置、通信システム、制御方法及び制御プログラムに関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、現在ＬＴＥ−Ａ（Ｌｏｎｇ  Ｔｅｒｍ  Ｅｖｏｌｕｔｉｏｎ−Ａｄｖａｎｃｅｄ）の仕様検討が行われている。ＬＴＥ−Ａでは、ＬＴＥよりも高速の通信を実現することが要求されており、ＬＴＥよりも広帯域（ＬＴＥの２０ＭＨｚの帯域を越える１００ＭＨｚまでの帯域）をサポートすることが求められている。しかしながら、世界的に連続した広帯域の周波数領域をＬＴＥ−Ａ用として確保することは難しい。そこで、ＬＴＥとの互換性を可能な限り維持する目的から、コンポーネントキャリア（ＣＣ：Ｃｏｍｐｏｎｅｎｔ  Ｃａｒｅｅｒ）と呼ばれる帯域幅が２０ＭＨｚまでの周波数帯域を複数まとめて通信を行うことが検討されている。その通信では、最大１００ＭＨｚの帯域幅を確保し、高速かつ大容量の通信を実現させるキャリアアグリゲーション（ＣＡ：Ｃａｒｅｅｒ  Ａｇｇｒｅｇａｔｉｏｎ）技術が検討されている。
【０００３】
ＣＡ技術を用いた通信で使用されるコンポーネントキャリアはＣＡ通信開始時や再設定時に基地局から端末固有（ＵＥ  ｓｐｅｃｉｆｉｃ）で割り当てられる。通信を行うＳｅｒｖｉｎｇ  Ｃｅｌｌは一つのＰＣｅｌｌ（Ｐｒｉｍａｒｙ  Ｓｅｒｖｉｎｇ  Ｃｅｌｌ）と一つ以上のＳＣｅｌｌ（Ｓｅｃｏｎｄａｒｙ  Ｓｅｒｖｉｎｇ  Ｃｅｌｌ）との組み合わせにより構成される。ＰＣｅｌｌは制御情報（Ｃ−Ｐｌａｎｅ：Ｃｏｎｔｒｏｌ  Ｐｌａｎｅ）とデータ情報（Ｕ−Ｐｌａｎｅ：Ｕｓｅｒ  Ｐｌａｎｅ）の通信を行う。ここで、ＰＣｅｌｌに対応するコンポーネントキャリアをＰＣＣ（Ｐｒｉｍａｒｙ  Ｃｏｍｐｏｎｅｎｔ  Ｃａｒｒｉｅｒ）と呼ぶ。ＳＣｅｌｌはデータ情報（Ｕ−Ｐｌａｎｅ）のみの通信を行う。ここで、ＳＣｅｌｌに対応するコンポーネントキャリアをＳＣＣ（Ｓｅｃｏｎｄａｒｙ  Ｃｏｍｐｏｎｅｎｔ  Ｃａｒｒｉｅｒ）と呼ぶ（非特許文献１の７．５節参照）。
【０００４】
ＳＣＣにはｃｏｎｆｉｇｕｒｅ状態と非ｃｏｎｆｉｇｕｒｅ状態がある。さらにｃｏｎｆｉｇｕｒｅ状態にはａｃｔｉｖａｔｅ状態とｄｅａｃｔｉｖａｔｅ状態がある。ＣＡを行っていない場合、ＰＣｅｌｌ以外の全てのＣｅｌｌは非ｃｏｎｆｉｇｕｒｅ状態である。ＣＡを行う場合、ＳＣｅｌｌを追加するが、このとき追加されたＳＣＣはｄｅａｃｔｉｖａｔｅなｃｏｎｆｉｇｕｒｅ状態となる。ｄｅａｃｔｉｖａｔｅの状態ではＣＱＩ（Ｃｈａｎｎｅｌ  Ｑｕａｌｉｔｙ  Ｉｎｄｉｃａｔｏｒ）などすぐに通信ができるような品質測定が行われるが、個別チャネルの通信自体は発生しない。基地局は移動局から報告されるｄｅａｃｔｉｖａｔｅなＳＣｅｌｌからの無線品質が良くなるとａｃｔｉｖａｔｅ状態に変更し、通信を開始する。
【０００５】
通信中に、移動局がＰＣｅｌｌを変更する場合、ランダムアクセス手順を用いたハンドオーバにより変更を行う。このとき、一度ＳＣＣをｄｅａｃｔｉｖａｔｉｏｎして、ＳＣＣとの通信を終え、必要であれば新しいＰＣｅｌｌの接続を行った後に、再度ＳＣＣをａｃｔｉｖａｔｅすることが３ＧＰＰ  ＲＡＮ２＃７０ｂｉｓ会合で合意されている。
【先行技術文献】
【非特許文献】
【０００６】
【非特許文献１】ＧＰＰ  ＴＳ  ３６．３００  Ｖ１１．０．０  （２０１１−１２）
【発明の概要】
【発明が解決しようとする課題】
【０００７】
現在、異なる基地局間でのキャリアアグリゲーション（ＣＡ）については３ＧＰＰで検討中である。ＵＥが、マクロセル基地局の通信領域内にあるピコセル基地局と、マクロセル基地局とを利用してＣＡを実現している最中に、ピコセル基地局の領域内で静止（もしくは低速移動）した場合を考える。マクロセル基地局をＰＣＣとして継続利用した場合、ユーザの利用がマクロセル基地局１００に集中することで、マクロセル基地局の負荷が増大し、輻輳する可能性があるという問題があった。
【０００８】
そこで本発明は、上記問題に鑑みてなされたものであり、輻輳する可能性を低くすることを可能とする移動局装置、ネットワーク制御装置、通信システム、制御方法及び制御プログラムを提供することを課題とする。
【課題を解決するための手段】
【０００９】
（１）本発明は前記事情に鑑みなされたもので、本発明の一態様は、マクロセル基地局及び前記マクロセル基地局の通信範囲と重複する通信範囲を有し、前記マクロセル基地局よりも通信範囲が狭いピコセル基地局双方の通信範囲にある自移動局装置の移動に関する情報に基づいて、前記ピコセル基地局にプライマリコンポーネントキャリアを割り当てると判定する判定部を備える移動局装置である。
【００１０】
（２）上記に記載の移動局装置において、本発明の一態様は、前記判定部は、プライマリコンポーネントキャリアの割り当てを、前記マクロセル基地局から前記ピコセル基地局に変更すると判定する。
【００１１】
（３）上記に記載の移動局装置において、本発明の一態様は、前記ピコセル基地局にプライマリコンポーネントキャリアを割り当て、前記マクロセル基地局にセカンダリコンポーネントキャリアを割り当てると判定する。
【００１２】
（４）上記に記載の移動局装置において、本発明の一態様は、前記移動に関する情報は、自装置の移動速度であり、前記判定部は、前記自移動局装置の移動速度に基づいて、前記ピコセル基地局にプライマリコンポーネントキャリアを割り当てると判定する。
【００１３】
（５）上記に記載の移動局装置において、本発明の一態様は、前記判定部は、前記自移動局装置の移動速度とセカンダリコンポーネントキャリアの受信品質に基づいて、前記ピコセル基地局にプライマリコンポーネントキャリアを割り当てると判定する。
【００１４】
（６）上記に記載の移動局装置において、本発明の一態様は、前記判定部は、前記自移動局装置の移動速度と、プライマリコンポーネントキャリアの受信品質及びセカンダリコンポーネントキャリアの受信品質の差に基づいて、前記ピコセル基地局にプライマリコンポーネントキャリアを割り当てると判定する。
【００１５】
（７）上記に記載の移動局装置において、本発明の一態様は、前記判定部は、前記自移動局装置の移動速度と、プライマリコンポーネントキャリアの受信品質及びセカンダリコンポーネントキャリアの受信品質の差と自移動局装置の移動速度に応じた閾値との比較に基づいて、前記ピコセル基地局にプライマリコンポーネントキャリアを割り当てると判定する。
【００１６】
（８）上記に記載の移動局装置において、本発明の一態様は、前記移動に関する情報は、自移動局装置の位置であり、前記判定部は、前記自移動局装置の位置に基づいて、前記ピコセル基地局にプライマリコンポーネントキャリアを割り当てると判定する。
【００１７】
（９）本発明の一態様は、マクロセル基地局及び前記マクロセル基地局の通信範囲と重複する通信範囲を有するピコセル基地局双方の通信範囲にある移動局装置の移動に関する情報に基づいて、前記ピコセル基地局にプライマリコンポーネントキャリアを割り当てると判定する判定部を備えるネットワーク制御装置である。
【００１８】
（１０）上記に記載のネットワーク制御装置において、本発明の一態様は、前記移動に関する情報は、移動局装置の移動速度であり、前記判定部は、移動局装置の移動速度に基づいて、前記ピコセル基地局にプライマリコンポーネントキャリアを割り当てると判定する。
【００１９】
（１１）上記に記載のネットワーク制御装置において、本発明の一態様は、前記判定部は、前記移動局装置の移動速度とセカンダリコンポーネントキャリアの受信品質に基づいて、前記ピコセル基地局にプライマリコンポーネントキャリアを割り当てると判定する。
【００２０】
（１２）上記に記載のネットワーク制御装置において、本発明の一態様は、前記判定部は、前記移動局装置の移動速度と、プライマリコンポーネントキャリアの受信品質及びセカンダリコンポーネントキャリアの受信品質の差に基づいて、前記ピコセル基地局にプライマリコンポーネントキャリアを割り当てると判定する。
【００２１】
（１３）上記に記載のネットワーク制御装置において、本発明の一態様は、前記判定部は、前記移動局装置の移動速度と、プライマリコンポーネントキャリアの受信品質及びセカンダリコンポーネントキャリアの受信品質の差と前記移動局装置の移動速度に応じた閾値との比較に基づいて、前記ピコセル基地局にプライマリコンポーネントキャリアを割り当てると判定する。
【００２２】
（１４）上記に記載のネットワーク制御装置において、本発明の一態様は、前記移動に関する情報は、移動局装置の位置であり、前記判定部は、前記移動局装置の位置に基づいて、前記ピコセル基地局にプライマリコンポーネントキャリアを割り当てると判定する。
【００２３】
（１５）本発明の一態様は、マクロセル基地局及び前記マクロセル基地局の通信範囲と重複する通信範囲を有し、前記マクロセル基地局よりも通信範囲が狭いピコセル基地局双方の通信範囲にある移動局装置の移動に関する情報に基づいて、前記ピコセル基地局にプライマリコンポーネントキャリアを割り当てると判定する判定部を備える通信システムである。
【００２４】
（１６）本発明の一態様は、判定部が、マクロセル基地局及び前記マクロセル基地局の通信範囲と重複する通信範囲を有し、前記マクロセル基地局よりも通信範囲が狭いピコセル基地局双方の通信範囲にある移動局装置の移動に関する情報に基づいて、前記ピコセル基地局にプライマリコンポーネントキャリアを割り当てると判定する手順を有する制御方法である。
【００２５】
（１７）本発明の一態様は、コンピュータに、マクロセル基地局及び前記マクロセル基地局の通信範囲と重複する通信範囲を有し、前記マクロセル基地局よりも通信範囲が狭いピコセル基地局双方の通信範囲にある移動局装置の移動に関する情報に基づいて、前記ピコセル基地局にプライマリコンポーネントキャリアを割り当てると判定するステップを実行させるための制御プログラムである。
【発明の効果】
【００２６】
本発明によれば、輻輳する可能性を低くすることができる。
【図面の簡単な説明】
【００２７】
【図１】第１の実施形態における通信システムの概略図である。
【図２】第１の実施形態における通信システムの構成を示す概略ブロック図である。
【図３】第１の実施形態における通信システムの処理の一例を示すシーケンス図である。
【図４】第１の実施形態における移動局の処理の流れの一例を示すフローチャートである。
【図５】第２の実施形態における通信システムの構成を示す概略ブロック図である。
【図６】第３の実施形態における通信システム１ｃの構成を示す概略ブロック図である。
【図７】第３の実施形態における通信システムの処理の一例を示すシーケンス図である。
【図８】第３の実施形態におけるコアネットワーク制御装置の処理の流れの一例を示すフローチャートである。
【図９】第４の実施形態における通信システムの構成を示す概略ブロック図である。
【図１０】第４の実施形態における通信システムの処理の一例を示すシーケンス図である。
【発明を実施するための形態】
【００２８】
＜第１の実施形態＞
以下、本発明の実施形態について、図面を参照して詳細に説明する。図１は、第１の実施形態における通信システムの概略図である。同図に置いて、マクロセル基地局１００の通信領域であるマクロセル１１内にピコセル基地局２００が配置されている。ピコセル基地局２００は、マクロセル基地局１００の通信範囲と重複する通信範囲を有し、マクロセル基地局１００よりも通信範囲が狭い基地局である。ピコセル基地局２００は、例えば、半径数メートルから数十メートルの通信範囲を有し、おもに屋内で使用される小型基地局である。それぞれの基地局は、基地局を制御するコアネットワーク制御装置（ネットワーク制御装置ともいう）３００と接続している。ＣＡ通信では、ＰＣＣを介して制御情報とデータ情報が送信され、ＳＣＣを介してデータ情報のみが送信される。
【００２９】
続いて、本実施形態の概要について説明する。本実施形態において、移動局（以下、移動局装置、端末装置ともいう）５００は、自移動局の移動速度を測定し、測定した移動速度がゼロもしくは低速だった場合、マクロセル基地局１００へＰＣＣとＳＣＣの割り当ての切り替えを要求する。ここで、低速とは、予め決められた閾値速度以下の速度のことである。マクロセル基地局１００は、その切り替え要求を基に、ピコセル基地局２００との間で、ＰＣＣとＳＣＣの割り当ての切り替えを行う。すなわち、マクロセル基地局１００はマクロセル基地局１００の割り当てをＰＣＣからＳＣＣへ、ピコセル基地局２００の割り当てをＳＣＣからＰＣＣへ変更する。
【００３０】
本実施形態の初期の設定では、一例として、マクロセル基地局１００が利用するコンポーネントキャリアＡ（ＣＣ＿Ａ：Ｃｏｍｐｏｎｅｎｔ  Ｃａｒｅｅｒ＿Ａ）をＰＣＣとする。ここで、ＣＣ＿Ａは、周波数帯域１を利用する。マクロセル基地局１００は、ＣＣ＿Ａで通信を行う。
また、初期の設定では、一例として、ピコセル基地局２００が利用するコンポーネントキャリアＢ（ＣＣ＿Ｂ：Ｃｏｍｐｏｎｅｎｔ  Ｃａｒｅｅｒ＿Ｂ）をＳＣＣとする。ここで、ＣＣ＿Ｂは、一例として周波数帯域１とは異なる周波数帯域２を利用する。ピコセル基地局２００は、ＣＣ＿Ｂで通信を行う。
そして、この想定で、移動局５００が、図１のようにピコセル基地局２００の通信領域であるピコセル１２内を位置Ｐ１から位置Ｐ２へ移動した後に静止（または低速移動）する場合を想定して以下、説明する。
【００３１】
図２は、第１の実施形態における通信システムの構成を示す概略ブロック図である。同図において、通信システム１は、マクロセル基地局１００と、ピコセル基地局２００と、コアネットワーク制御装置３００と、移動局５００とを備える。
移動局５００は、アンテナ５１１、アンテナ５２１、アンテナ５３１、アンテナ５４１、Ｐ受信部５１２、Ｓ受信部５２２、Ｐ送信部５３２、Ｓ送信部５４２、制御部５５１、速度検出部５６１及びセル判定部５７１を備える。アンテナ５１１、５２１、５３１、５４１は無線通信用アンテナである。なお、移動局５００の構成要素としては、本実施形態の説明に必要なもののみ示し、その他の移動局５００が備える通常の無線通信に用いられる構成要素の説明及び図示は省略する。
【００３２】
マクロセル基地局１００は、アンテナ１１１、１２１、Ａ送信部１１２、Ａ受信部１２２及び制御部１３１を備える。マクロセル基地局のアンテナ１１１、１１２は無線通信用アンテナである。
ピコセル基地局２００は、アンテナ２１１、２２１、Ｂ送信部２１２、Ｂ受信部２２２及び制御部２３１を備える。ピコセル基地局のアンテナ２１１及び２１２は無線通信用アンテナである。
コアネットワーク制御装置３００は、制御部３１１を備える。
また、マクロセル基地局１００、ピコセル基地局２００及びコアネットワーク制御装置３００の構成要素としては、本実施形態の説明に必要なもののみ示し、その他のマクロセル基地局１００、ピコセル基地局２００及びコアネットワーク制御装置３００が備える通常の無線通信に用いられる構成要素の説明及び図示は省略する。
【００３３】
以下、本実施形態の通信ネットワーク１の処理を説明する。まず、移動局５００が備える各部の処理について説明する。
Ｐ受信部５１２は、マクロセル基地局１００のアンテナ１１１から送信された信号を、アンテナ５１１を介して受信する。そして、Ｐ受信部５１２は、受信した信号をベースバンドへ落とし、ＡＤ変換を行った後のディジタル信号に対してフーリエ変換し、フーリエ変換後の周波数軸上の信号からＣＣ＿Ａの周波数帯域の信号を抽出する。Ｐ受信部５１２は、抽出したＣＣ＿Ａの信号を復調及び復号する。これにより、Ｐ受信部５１２は、マクロセル基地局１００から送信された信号を復元することができる。そして、Ｐ受信部５１２は、復号後の信号を制御部５５１へ出力する。
【００３４】
Ｓ受信部５２２は、ピコセル基地局２００のアンテナ２１１から送信された信号を、アンテナ５２１を介して受信する。そして、Ｓ受信部５２２は、受信した信号をベースバンドへ落とし、ＡＤ変換を行った後のディジタル信号に対してフーリエ変換し、フーリエ変換後の周波数軸上の信号からＣＣ＿Ｂの周波数帯域の信号を抽出する。Ｓ受信部５２２は、抽出したＣＣ＿Ｂの信号を復調及び復号する。これにより、Ｓ受信部５２２は、マクロセル基地局１００から送信された信号を復元することができる。そして、Ｓ受信部５２２は、復号後の信号を制御部５５１へ出力する。
【００３５】
Ｐ送信部５３２は、制御部５５１による制御に基づいて、制御部５５１から入力された信号を符合化し、符合化後の信号を変調する。そして、Ｐ送信部５３２は、変調後の信号をＣＣ＿Ａに重畳する。そして、Ｐ送信部５３２は、重畳後の信号を逆フーリエ変換する。そして、Ｐ送信部５３２は、逆フーリエ変換後の信号に基づく信号をアンテナ５３１からマクロセル基地局１００のアンテナ１２１へ信号を送信する。
【００３６】
Ｓ送信部５３２は、制御部５５１による制御に基づいて、制御部５５１から入力された信号を符合化し、符合化後の信号を変調する。そして、Ｓ送信部５３２は、変調後の信号をＣＣ＿Ｂの周波数帯域に重畳する。そして、Ｓ送信部５３２は、重畳後の信号を逆フーリエ変換する。そして、Ｓ送信部５３２は、逆フーリエ変換後の時間軸上の信号に基づく信号をＤＡ変換してから無線周波数帯にアップコンバージョンして、アンテナ５４１からピコセル基地局２００のアンテナ２２１へ信号を送信する。
【００３７】
速度検出部５６１は、例えば、予め決められた周期で、移動局５００の移動速度を検出する。具体的には、例えば、速度検出部５６１は、以下の処理により、移動局５００の移動速度を検出する。速度検出部５６１は、例えば、加速度センサを備え、移動局５００を保持して移動するユーザの歩幅を示す歩幅情報を保持する。速度検出部５６１は、例えば、予め決められた検出期間（例えば、１０秒）におけるそのユーザの歩行ピッチを加速度センサにより検出する。そして、速度検出部５６１は、例えば、歩行ピッチに歩幅を乗じた値を、歩行ピッチを検出した検出期間で割ることにより、移動局５００の移動速度を検出する。なお、速度検出部５６１における移動速度の検出方式は、これに限定するものではない。
そして、速度検出部５６１は、検出した移動速度を示す移動速度情報を制御部５５１へ出力する。そして、制御部５５１は、速度検出部５６１から入力された移動速度情報をセル判定部５７１へ出力する。
【００３８】
セル判定部５７１は、マクロセル基地局１００及びピコセル基地局２００双方の通信範囲にあるか否か判定する。セル判定部５７１は、セル判定結果がマクロセル基地局１００及びピコセル基地局２００双方の通信範囲にあることを示す場合、以下の処理を行う。
セル判定部５７１は、速度検出部５６１から入力された移動速度情報が示す移動速度に基づいて、プライマリコンポーネントキャリアの割り当てを、マクロセル基地局１００からピコセル基地局２００に変更すると判定する。より詳細には、セル判定部５７１は、移動速度に基づいて、ピコセル基地局２００にプライマリコンポーネントキャリアを割り当て、マクロセル基地局１００にセカンダリコンポーネントキャリアを割り当てると判定する。換言すれば、セル判定部５７１は、移動速度に基づいて、マクロセル基地局１００とピコセル基地局２００との間で、プライマリコンポーネントキャリアとセカンダリコンポーネントキャリアの割り当てを切り替えるか否か判定する。
【００３９】
具体的には、例えば、セル判定部５７１は、移動速度が予め決められた閾値速度より遅い場合すなわち低速移動の場合、ピコセル基地局２００にプライマリコンポーネントキャリアを割り当て、マクロセル基地局１００にセカンダリコンポーネントキャリアを割り当てると判定する。移動局５００が移動局５００の静止または低速移動を検出した時は、ピコセル基地局２００の領域内に長時間滞在するとみなせるからである。ここで、移動速度が予め決められた閾値速度より遅い場合には、停止を含むものとする。
【００４０】
セル判定部５７１は、ＰＣＣとＳＣＣの切り替えを指示する切替指示信号を制御部５５１へ出力する。また、セル判定部５７１は、ＰＣＣが割り当てられた基地局を示すＰＣＣ基地局情報及びＳＣＣが割り当てられた基地局を示すＳＣＣ基地局情報を保持する。
【００４１】
制御部５５１は、セル判定部５７１から入力された切替指示信号が示すＰＣＣとＳＣＣの切り替えに応じて、Ｐ送信部５３２とＳ送信部５４２へ出力するデータを切り替える。具体的には、例えば、移動局５００が高速で移動しているときには、マクロセル基地局１００にＰＣＣが割り当てられているので、制御部５５１は、制御情報とデータ情報をＰ送信部５３２へ出力する。ここで、高速とは、予め決められた閾値速度を越える速度である。一方、ＰＣＣとＳＣＣの割り当てが切り替わりマクロセル基地局１００にＳＣＣが割り当てられた場合、制御部５５１は、データ情報のみをＰ送信部５３２へ出力する。
【００４２】
また、例えば、移動局５００が高速で移動している場合、ピコセル基地局２００にＳＣＣが割り当てられているので、制御部５５１は、データ情報のみをＳ送信部５４２へ出力する。一方、移動局５００が静止（または低速移動）している場合、移動局５００は、ＰＣＣとＳＣＣの割り当てを切り替え、ピコセル基地局２００にＰＣＣが割り当てられるので、制御部５５１は、制御情報とデータ情報をＰ送信部５３２へ出力する。
【００４３】
続いて、マクロセル基地局１００の各部の処理を説明する。
まず、移動局５００が高速で移動している場合の、マクロセル基地局１００の処理を説明する。マクロセル基地局１００にはＰＣＣが割り当てられているので、マクロセル基地局１００は、移動局５００との間で、制御情報とデータ情報の通信を行う。
制御部１３１は、制御情報とデータ情報をＡ送信部１１２へ出力し、Ａ送信部１１２を制御する。Ａ送信部１１２は、制御部１３１の制御に従って、制御情報とデータ情報を符号化し、符号化された信号を変調する。Ａ送信部１１２は、変調後の信号をＣＣ＿Ａの周波数帯域に重畳し、ＤＡ変換、無線周波数帯域へのアップコンバージョンの後にアンテナ１１１から移動局５００へ送信する。
【００４４】
Ａ受信部１２２は、アンテナ１２１を介して移動局５００から送信された信号を受信する。Ａ受信部１２２は、移動局５００のＰ送信部５３２から送信された信号をベースバンドへ落とした後にＡＤ変換し、変換後のディジタル信号をフーリエ変換（ＦＦＴ：Ｆａｓｔ  Ｆｏｕｒｉｅｒ  Ｔｒａｎｓｆｏｒｍ）し、フーリエ変換後の周波数軸上の信号からＣＣ＿Ａの周波数帯域の信号を抽出する。そして、Ａ受信部１２２は、抽出した信号を復調し、復調後の信号を復号する。これにより、Ａ受信部１２２は、移動局５００から送信された制御情報とデータ情報を復元する。Ａ受信部１２２は、復元した制御情報とデータ情報を制御部１３１へ出力する。
制御部１３１は、コアネットワーク制御装置３００と通信し、ハンドオーバー（ＨＯ）に関する処理を行う。
【００４５】
続いて、ハンドオーバー（ＨＯ）により、マクロセル基地局１００にＳＣＣが割り当てられた場合の、マクロセル基地局１００の各部の処理について説明する。マクロセル基地局１００にＳＣＣが割り当てられているので、この場合は、マクロセル基地局１００は、移動局５００との間で、データ情報のみの通信を行う。
制御部１３１は、マクロセル基地局１００にＰＣＣが割り当てられている場合と同様の機能を有するが、以下の点で異なる。制御部１３１は、データ情報のみをＡ送信部１１２へ出力する。
Ａ送信部１１２は、マクロセル基地局１００にＰＣＣが割り当てられている場合と同様の機能を有するが、以下の点で異なる。すなわち、Ａ送信部１１２は、制御部１３１の制御に従って、データ情報のみを符号化する。
Ａ受信部１２２は、マクロセル基地局１００にＰＣＣが割り当てられている場合と同様の機能を有するが、以下の点で異なる。すなわち、Ａ受信部１２２は、復号後の信号がデータ情報のみを含む。Ａ受信部１２２は、そのデータ情報を制御部１３１へ出力する。
【００４６】
続いて、ピコセル基地局２００の各部の処理を説明する。
まず、ピコセル基地局２００にＳＣＣが割り当てられている場合のピコセル基地局２００の各部を説明する。ピコセル基地局２００にＳＣＣが割り当てられている場合、ピコセル基地局２００は、移動局５００との間で、データ情報のみの通信を行う。
【００４７】
制御部２３１は、データ情報をＢ送信部２１２へ出力し、Ｂ送信部２１２を制御する。Ｂ送信部２１２は、制御部２３１の制御に従って、データ情報を符号化し、符号化された信号を変調する。Ｂ送信部２１２は、変調後の信号をＣＣ＿Ｂの周波数帯域に重畳する。Ｂ送信部２１２は、重畳後の信号に対して逆フーリエ変換を施す。Ｂ送信部２１２は、逆フーリエ変換を施した後の信号に基づいて、ＤＡ変換、無線周波数帯域へのアップコンバージョンを行って送信信号を生成する。そして、Ｂ送信部２１２は、送信信号をアンテナ２１１から移動局５００へ送信する。
【００４８】
Ｂ受信部２２２は、アンテナ２２１を介して移動局５００から送信された信号を受信する。Ｂ受信部２２２は、移動局５００のＳ送信部５４２から送信された信号をベースバンドへ落とし、ＡＤ変換後のディジタル信号に対してフーリエ変換し、フーリエ変換後の信号からＣＣ＿Ｂの周波数帯域の信号を抽出する。そして、Ｂ受信部２２２は、抽出した信号を復調し、復調後の信号を復号する。これにより、Ｂ受信部２２２は、移動局５００から送信されたデータ情報を復元する。Ｂ受信部２２２は、復元したデータ情報を制御部２３１へ出力する。
【００４９】
続いて、制御部２３１は、移動局５００からＰＣＣとＳＣＣの切替要求がマクロセル基地局１００に対してあった場合、制御部２３１は、コアネットワーク制御装置３００とハンドオーバー（ＨＯ）に関する通信を行う。
【００５０】
続いて、ハンドオーバー（ＨＯ）により、ピコセル基地局２００にＰＣＣが割り当てられた場合の、ピコセル基地局２００の各部の処理について説明する。
制御部２３１は、ピコセル基地局２００にＳＣＣが割り当てられた場合と同様の機能を有するが、以下の点で異なる。すなわち、制御部２３１は、制御情報とデータ情報をＢ送信部２１２へ出力する。
Ｂ送信部２１２は、ピコセル基地局２００にＳＣＣが割り当てられた場合と同様の機能を有するが以下の点で異なる。すなわち、Ｂ送信部２１２は、制御情報とデータ情報を符号化する。
【００５１】
Ｂ受信部２２２は、ピコセル基地局２００にＳＣＣが割り当てられた場合と同様の機能を有するが以下の点で異なる。すなわち、Ｂ受信部２２２の出力は、復調後に得られる信号であるところの制御情報とデータ情報とを含む。Ｂ受信部２２２は、この制御情報とデータ情報を制御部２３１へ出力する。
【００５２】
コアネットワーク制御装置３００の制御部３１１は、マクロセル基地局１００とピコセル基地局２００との通信を制御する。例えば、マクロセル基地局１００からＨＯ要求を受信した場合、制御部３１１は、マクロセル基地局１００とピコセル基地局２００との、ＨＯに関する通信を制御する。制御部３１１の処理の詳細は、後述する。
【００５３】
図３は、第１の実施形態における通信システム１の処理の一例を示すシーケンス図である。移動局５００がマクロセル基地局１００をＰＣＣ（ＣＣ＿Ａ）として利用し、ピコセル基地局２００をＳＣＣ（ＣＣ＿Ｂ）として利用して、ＣＡ通信を行いながら、周期的に速度検出を行いつつ、図１の位置Ｐ１から位置Ｐ２まで移動する。この時、移動局５００のセル判定部５７１は、ピコセル基地局をＳＣＣとして利用していることを記憶している。そして、移動局５００が図１の位置Ｐ２の地点で静止（または低速移動）した時、移動局５００はピコセル基地局２００の領域内にしばらく滞在すると判断する。そして、移動局５００は、ピコセル基地局２００をデータ情報のみ送信するＳＣＣから制御情報とデータ情報を送信するＰＣＣに変更する。具体的には、例えば、通信システム１は、以下のような動作する。
【００５４】
まず、Ｔ１０１において、移動局５００は、ＰＣＣでマクロセル基地局１００と通信する。また、Ｔ１０２において、それと並行して、移動局５００は、ＳＣＣでピコセル基地局２００と通信する。
次に、Ｔ１０３において、移動局５００は、ピコセル基地局をＳＣＣとしてＣＡ通信していることを把握しつつ、移動局５００の移動速度を測定する。移動速度が高速であるので、セル判定部５７１は、ＰＣＣとＳＣＣとを切り替えないと判定する。ここで、高速とは、例えば、予め決められた閾値速度を超える速度である。
【００５５】
次に、Ｔ１０４において、移動局５００は、ＰＣＣでマクロセル基地局１００と通信する。また、Ｔ１０５において、それと並行して、移動局５００は、ＳＣＣでピコセル基地局２００と通信する。
次に、Ｔ１０６において、移動局５００は、移動局５００の移動速度を測定する。移動速度がゼロすなわち移動局５００が静止しているので、移動局５００のセル判定部５７１は、ＰＣＣとＳＣＣとを切り替えると判定する。
【００５６】
次に、Ｔ１０７において、移動局５００は、移動局５００の低速を検出したので、ＳＣＣとして利用していたＣＣ＿ＢをＰＣＣとして利用するように切替要求をマクロセル基地局１００へ通知する。ここで、切替要求通知には、どの周波数帯域のＰＣＣをＳＣＣとして利用し、また、ＳＣＣをＰＣＣとして利用するための切り替え情報が含まれる。なお、移動局５００の速度が低速に限らず、移動局５００が静止した場合も、移動局５００は、ＳＣＣとして利用していたＣＣ＿ＢをＰＣＣとして利用するように切替要求を通知する。
【００５７】
次に、Ｔ１０８において、マクロセル基地局１００は、移動局５００から切替要求通知を受信し、ＣＣ＿ＢをＳＣＣからＰＣＣへ切り替えるようにＨＯ要求をコアネットワーク制御装置３００へ送信する。
次に、Ｔ１０９において、コアネットワーク制御装置３００はマクロセル基地局１００から受信したＨＯ要求に対して、ＨＯ可能か否かをピコセル基地局２００のリソース状況等から判断する。そして、コアネットワーク制御装置３００はＨＯ可能ならばピコセル基地局２００へＨＯ要求を通知する。
【００５８】
次に、ピコセル基地局２００はコアネットワーク制御装置３００からのＨＯ要求に従ってＨＯの準備をする。次に、Ｔ１１０において、ピコセル基地局２００は、ＨＯ準備完了後、コアネットワーク制御装置３００にＨＯを許諾するＨＯ応答を通知する。
【００５９】
次に、Ｔ１１１において、コアネットワーク制御装置３００は、ピコセル基地局２００から受信したＨＯ応答をマクロセル基地局１００へ通知する。次に、Ｔ１１２において、マクロセル基地局１００はＨＯ応答を受信した後に、そのＨＯ応答を移動局５００へ送信する。
【００６０】
次に、Ｔ１１３において、マクロセル基地局１００からＨＯ要求を受信した移動局５００は、ピコセル基地局２００へＨＯするためランダムアクセス要求をピコセル基地局２００へ送信する。次に、Ｔ１１４において、ピコセル基地局２００は、移動局５００から受信したランダムアクセス要求に応じて、移動局５００へランダムアクセス応答を送信する。
【００６１】
次に、Ｔ１１５において、ピコセル基地局２００へのＨＯ処理が完了したら、ピコセル基地局２００は、マクロセル基地局１００へＨＯ完了応答をコアネットワーク制御装置３００へ送信する。
次に、Ｔ１１６において、コアネットワーク制御装置３００は、受信したＨＯ完了応答をマクロセル基地局１００へ送信する。
次に、Ｔ１１７において、移動局５００、マクロセル基地局１００及びピコセル基地局２００は、ＰＣＣとＳＣＣの割り当てを切り替える。
【００６２】
次に、Ｔ１１８において、移動局５００は、マクロセル基地局１００とＳＣＣで通信を開始する。また、それと並行して、Ｔ１１９において、移動局５００は、ピコセル基地局２００とＰＣＣで通信を開始する。以上で、本シーケンスの処理を終了する。
【００６３】
図４は、第１の実施形態における移動局５００の処理の流れの一例を示すフローチャートである。まず、ステップＳ１０１において、移動局５００は、マクロセル基地局１００に割り当てられたＰＣＣとピコセル基地局２００に割り当てられたＳＣＣでＣＡを実行する。
次に、ステップＳ１０２において、セル判定部５７１は、ＳＣＣがピコセル基地局２００に割り当てられている否か判定する。ＳＣＣがピコセル基地局２００に割り当てられていない場合（ステップＳ１０２  ＮＯ）、制御部５５１は、ＰＣＣがピコセル基地局２００に割り当てられた通信を維持し、ステップＳ１０１の処理に戻る。
【００６４】
一方、ＳＣＣがピコセル基地局２００に割り当てられている場合（ステップＳ１０２  ＹＥＳ）、制御部５５１は、移動局５００の移動速度を速度検出部５６１から取得し、（ステップＳ１０４）、ステップＳ１０５の処理へ進む。
次に、ステップＳ１０５において、セル判定部５７１は、移動速度がゼロまたは低速であるか否か判定する。移動速度がゼロまたは低速でない場合（ステップＳ１０５  ＮＯ）、セル判定部５７１はＰＣＣがマクロセル基地局１００に割り当てられた通信を維持すると判定し、ステップＳ１０１の処理に戻る。
【００６５】
一方、ステップＳ１０５において、移動速度がゼロまたは低速である場合（ステップＳ１０５  ＹＥＳ）、セル判定部５７１はＰＣＣとＳＣＣの割り当ての切り替えを決定する（ステップＳ１０７）。次に、ステップＳ１０８において、制御部５５１は、ＰＣＣでマクロセル基地局１００へ切替要求を通知する。次に、ステップＳ１０９において、制御部５５１は、ＰＣＣでマクロセル基地局１００から送信されたＨＯ応答を受信する。
【００６６】
次に、ステップＳ１１０において、制御部５５１は、ピコセル基地局２００に対してランダムアクセス要求を送信するＨＯ処理を行う。次に、ＨＯ処理が完了した場合、ステップＳ１１１において、制御部５５１は、ＰＣＣとＳＣＣの割り当てを切り替える。すなわち、制御部５５１は、ＣＣ＿ＢをＰＣＣとし、ＣＣ＿ＡをＳＣＣとする。以上で、本フローチャートの処理を終了する。
【００６７】
＜第１の実施形態の効果＞
以上、第１の実施形態における移動局５００は、マクロセル基地局１００とピコセル基地局２００でＣＡを実行中に、移動局５００の移動速度の検出を行う。そして、移動局５００は、静止もしくは低速を検出した場合、ＰＣＣを割り当てる基地局をマクロセル基地局１００からピコセル基地局２００に変更すると判定する。移動局５００は、マクロセル基地局の通信品質がピコセル基地局２００の通信品質より良くてもこの処理を実行する。
【００６８】
これにより、マクロセル基地局１００は、負荷をピコセル基地局２００へ分散させることができるので、マクロセル基地局１００の負荷を減らすことができる。また、ユーザがマクロセル基地局１００に集中することを軽減することができ、輻輳の可能性を低くすることができる。
【００６９】
また、従来のマクロセル基地局は、セルサイズの大きいマクロセル基地局を多数のユーザが利用する可能性があるので、リソース割り当てが十分取れないという問題があった。それに対し、本実施形態によれば、ＰＣＣをピコセル基地局２００に割り当てることにより、マクロセル基地局１００のリソースを開けておくので、多数のユーザがマクロセル基地局１００を利用することができる。また、第１の実施形態の速度検出部５６１は、加速度センサを用いて安価に実現できるという利点がある。
【００７０】
なお、本実施形態では、移動局５００が、移動局５００の移動速度だけに基づいてＰＣＣとＳＣＣの割り当てを切り替えるか否か判定し、静止（もしくは低速）の時にＰＣＣとＳＣＣの割り当てを切り替える例を説明したが、これに限ったものではない。
【００７１】
移動局５００にセル判定部５７１は、周期的に測定された移動速度とＰＣＣの受信品質とＳＣＣの受信品質に基づいて、ＰＣＣとＳＣＣの割り当てを切り替えるか否か判定してもよい。ここで、この受信品質として、ＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ）又はパスロスを用いてもよい。
【００７２】
速度検出部５６１が、移動速度として静止（または低速移動）を検出した場合、セル判定部５７１は、ＰＣＣとＳＣＣの受信品質を確認する。そして、セル判定部５７１は、ＰＣＣの受信品質とＳＣＣの受信品質の差が閾値Ｓｐ［ｄＢ］以内であれば（Ｐ−Ｓ≦Ｓｐ）、ＳＣＣとして利用していたＣＣ＿ＢをＰＣＣとして利用するように切替要求を通知してもよい。
【００７３】
もしくは、セル判定部５７１がＰ−Ｓ≦Ｓｐを検出したことによって、Ｍｅａｓｕｒｅｍｅｎｔ  Ｒｅｐｏｒｔをマクロセル基地局１００へ送信してもよい。その場合、マクロセル基地局１００は、Ｍｅａｓｕｒｅｍｅｎｔ  Ｒｅｐｏｒｔを移動局５００からの切替要求と判断して動作してもよい。
【００７４】
ここで、閾値Ｓｐの値は、移動速度に応じて変更されてもよい。例えば、セル判定部５７１は、移動局５００が静止（または低速移動）している場合は、閾値Ｓｐの値を中速時よりも大きくしてもよい。ここで、低速とは、例えば、予め決められた第１の閾値速度以下の速度で、中速とは、例えば、その第１の閾値速度よりも速い速度であって、予め決められた第２の閾値速度（但し、第１の閾値速度より速い速度）以下の速度である。これにより、セル判定部５７１が、切替の条件を満たしやすくなり、移動局５００がコアネットワーク制御装置３００へＰＣＣとＳＣＣの切り替えを要求しやすくなる。
【００７５】
また、移動局５００の移動速度が遅いほど、閾値Ｓｐが大きくなる傾向であってもよい。また、制御部５５１は、閾値Ｓｐの値を、移動速度のみではなく、セルのサイズ等により各基地局固有の値を考慮して設定してもよい。
移動局５００へ閾値Ｓｐの値を通知する方式としては、各基地局の報知情報に格納してもよいし、Ｍｅａｓｕｒｅｍｅｎｔ  Ｃｏｎｔｒｏｌ  ｍｅｓｓａｇｅで移動局５００へ通知してもよい。
【００７６】
上記をまとめると、セル判定部５７１は、移動局５００の移動速度と、プライマリコンポーネントキャリアの受信品質及びセカンダリコンポーネントキャリアの受信品質の差に基づいて、ピコセル基地局２００にプライマリコンポーネントキャリアを割り当てると判定する。より詳細には、セル判定部５７１は、移動局５００の移動速度と、プライマリコンポーネントキャリアの受信品質及びセカンダリコンポーネントキャリアの受信品質の差と移動局５００の移動速度に応じた閾値との比較に基づいて、ピコセル基地局２００にプライマリコンポーネントキャリアを割り当てると判定する。
【００７７】
また、例えば、セル判定部５７１は、移動局５００が低速移動（または静止）しており、かつセカンダリコンポーネントキャリアの受信品質が予め決められた閾値受信品質より良い場合に、ピコセル基地局２００にプライマリコンポーネントキャリアを割り当てると判定する。すなわち、セル判定部５７１は、移動局５００の移動速度とセカンダリコンポーネントキャリアの受信品質に基づいて、ピコセル基地局２００にプライマリコンポーネントキャリアを割り当てると判定してもよい。
【００７８】
＜第２の実施形態＞
続いて、第２の実施形態について説明する。第１の実施形態において移動局５００は、移動局５００が静止（または低速移動）していることを、移動局５００の移動速度を検出することで判断した。第２の実施形態における移動局５００ｂは、速度検出の代わりにＧＰＳ（Ｇｌｏｂａｌ  Ｐｏｓｉｔｉｏｎｉｎｇ  Ｓｙｓｔｅｍ）測位を周期的に行うことにより、静止（または低速移動）していることを判定する。
【００７９】
図５は、第２の実施形態における通信システム１ｂの構成を示す概略ブロック図である。なお、図２と共通する要素には同一の符号を付し、その具体的な説明を省略する。図５の通信システム１ｂの構成は、図２の通信システム１の構成に対して、移動局５００が移動局５００ｂに変更されたものとなっている。図５の移動局５００ｂの構成は、図２の移動局５００の構成に対して、速度検出部５６１が削除されて、ＧＰＳ受信部５８１が追加され、制御部５５１が制御部５５１ｂに変更され、セル判定部５７１がセル判定部（判定部）５７１ｂに変更されたものになっている。
【００８０】
ＧＰＳ受信部５８１は、複数のＧＰＳ衛星からの電波を受信してそれぞれとの距離を割り出すことにより、予め決められた周期で、移動局５００の現在位置を測定する。ここで、現在位置は、緯度及び経度を含むものとする。そして、ＧＰＳ受信部５８１は、移動局５００の現在位置を示す位置情報を制御部５５１ｂへ出力する。
制御部５５１ｂは、第１の実施形態の制御部５５１と同様の機能を有するが、以下の点で異なる。制御部５５１ｂは、ＧＰＳ受信部５８１から入力された位置情報をセル判定部５７１ｂに出力する。
【００８１】
セル判定部５７１ｂは、制御部５５１ｂから入力された位置情報に基づいて、移動局５００がピコセル基地局２００内に滞在しているか否か判定する。セル判定部５７１ｂは、移動局５００がピコセル基地局２００内に滞在していると判定した場合、ＰＣＣとＳＣＣの割り当てを切り替え、マクロセル基地局１００にＳＣＣを割り当て、ピコセル基地局２００にＰＣＣを割り当てると判定する。そして、セル判定部５７１ｂは、ＰＣＣとＳＣＣの割り当ての切り替えを指示する切替指示信号を制御部５５１ｂへ出力する。
【００８２】
そして、制御部５５１ｂは、セル判定部５７１ｂが切替指示信号が入力された場合、マクロセル基地局１００へＰＣＣとＳＣＣの割り当ての切り替えを要求する。これにより、マクロセル基地局１００はその切り替え要求に基づいて、ピコセル基地局２００との間で、ＰＣＣとＳＣＣの割り当てを切り替える処理を実行する。
【００８３】
以上、第１の実施形態と第２の実施形態の処理を鑑みると、セル判定部（５７１または５７１ｂ）は、マクロセル基地局１００及びピコセル基地局２００双方の通信範囲にある自移動局（５００または５００ｂ）の移動に関する情報に基づいて、ピコセル基地局２００にプライマリコンポーネントキャリアを割り当てると判定する判定部として機能する。ここで、移動に関する情報は、移動局（５００または５００ｂ）の速度または位置を含むものである。
【００８４】
＜第２の実施形態の効果＞
第２の実施形態では、移動局５００ｂの移動に関する情報は、移動局５００ｂの位置である。セル判定部５７１ｂは、移動局５００ｂの位置に基づいて、ピコセル基地局２００にプライマリコンポーネントキャリアを割り当てると判定する。
【００８５】
これにより、マクロセル基地局１００は、負荷をピコセル基地局２００へ分散させることができるので、マクロセル基地局１００の負荷を減らすことができる。また、ユーザがマクロセル基地局１００に集中することを軽減することができ、輻輳の可能性を低くすることができる。
【００８６】
また、従来のマクロセル基地局は、セルサイズの大きいマクロセル基地局を多数のユーザが利用する可能性があるので、リソース割り当てが十分取れないという問題があった。それに対し、本実施形態によれば、ＰＣＣをピコセル基地局２００に割り当てることにより、マクロセル基地局１００のリソースを開けておくので、多数のユーザがマクロセル基地局１００を利用することができる。
第２の実施形態によれば、移動局５００ｂはＧＰＳにより位置検出を行っているので、速度ではなく位置によって、プライマリコンポーネントキャリアとセカンダリコンポーネントキャリアの割り当てを切り替えている。そのため、第２の実施形態の移動局５００ｂは、第１の実施形態の移動局５００に比べて、その切り替えの判定を、より適切に行うことができる。
【００８７】
＜第３の実施形態＞
続いて、第３の実施形態について説明する。第１の実施形態において移動局５００が、自ら移動局５００の移動速度を検出し、検出した移動速度に基づいてＰＣＣとＳＣＣの割り当てを切り替えるか否か判定した。それに対し、第３の実施形態では、マクロセル基地局１００が移動速度を測定し、コアネットワーク制御装置（ネットワーク制御装置）３００ｃへ移動速度を報告する。移動速度がゼロもしくは低速だった場合、コアネットワーク制御装置３００ｃは、マクロセル基地局１００へＰＣＣとＳＣＣの切り替えると判定する。
【００８８】
図６は、第３の実施形態における通信システム１ｃの構成を示す概略ブロック図である。なお、図２と共通する要素には同一の符号を付し、その具体的な説明を省略する。図６の通信システム１ｃの構成は、図２の通信システム１の構成に対して、移動局５００が移動局５００ｃに変更され、マクロセル基地局１００がマクロセル基地局１００ｃに変更され、コアネットワーク制御装置３００がコアネットワーク制御装置３００ｃに変更されたものになっている。
【００８９】
以下、第３の実施形態の通信システム１の処理の概要について説明する。コアネットワーク制御装置３００ｃは、マクロセル基地局１００ｃから移動局５００の移動速度がゼロ（または低速）を報告された場合、以下の処理を行う。コアネットワーク制御装置３００ｃは、ピコセル基地局２００ｃのリソース状況等を確認し、ＨＯ可能ならばＳＣＣとして利用していたＣＣ＿ＢをＰＣＣとして利用するようにマクロセル基地局１００へ切替要求通知を送信する。切替要求通知には、どの周波数帯域のＰＣＣをＳＣＣとして利用し、また、どのＳＣＣをＰＣＣとして利用するかを示すための切り替え情報が含まれる。
【００９０】
図６の移動局５００ｂの構成は、図２の移動局５００の構成に対して、速度検出部５６１とセル判定部５７１が削除され、制御部５５１が制御部５５１ｃに変更されたものになっている。
また、図６のマクロセル基地局１００ｃの構成は、図２のマクロセル基地局１００の構成に対して、速度検出部１４１が追加され、制御部１３１が制御部１３１ｃに変更されたものになっている。
速度検出部１４１は、例えば、予め決められた周期で、移動局５００ｃの移動速度を検出する。例えば、移動局５００ｃから周期的に送信するリファレンス信号に基づいて、移動局５００ｃの移動速度を検出する。具体的には、例えば、移動局５００ｃがマクロセル基地局１００ｃから放射状方向へ移動したことを仮定して、移動局５００ｃから受信したリファレンス信号の電力の変化に基づいて、移動局５００ｃの移動速度を検出する。そして、速度検出部１４１は、検出した移動速度を示す移動速度情報を制御部１３１ｃへ出力する。
【００９１】
制御部１３１ｃは、第１の実施形態の制御部１３１と同様の機能を有するが、以下の点で異なる。すなわち、制御部１３１ｃは、速度検出部１４１から移動速度情報をコアネットワーク制御装置３００ｃへ出力する。また、制御部１３１ｃは、移動局５００ｃがマクロセル内に存在するか否かの第１の存在情報をコアネットワーク制御装置３００ｃへ出力する。
【００９２】
図６のピコセル基地局２００ｃの構成は、図２のピコセル基地局２００の構成に対して、制御部２３１が制御部２３１ｃに変更されたものになっている。
制御部２３１ｃは、第１の実施形態の制御部２３１と同様の機能を有するが、以下の点で異なる。すなわち、制御部２３１ｃは、移動局５００ｃがピコセル内に存在するか否かの第２の存在情報をコアネットワーク制御装置３００ｃへ出力する。
【００９３】
図６のコアネットワーク制御装置３００ｃの構成は、図２のコアネットワーク制御装置３００の構成に対して、制御部３１１が制御部３１１ｃに変更され、セル判定部（判定部）３２１が追加されたものになっている。
【００９４】
制御部３１１ｃは、第１の実施形態の制御部３１１と同様の機能を有するが、以下の点で異なる。制御部３１１ｃは、マクロセル基地局１００ｃから受信した第１の存在情報をセル判定部３２１へ出力する。また、制御部３１１ｃは、ピコセル基地局２００ｃから受信した第２の存在情報をセル判定部３２１へ出力する。また、制御部３１１ｃは、マクロセル基地局１００ｃから受信した移動速度情報をセル判定部３２１へ出力する。
【００９５】
セル判定部３２１は、マクロセル基地局１００ｃから入力された第１の存在情報及びピコセル基地局２００ｃから入力された第２の存在情報に基づいて、移動局５００ｃがマクロセル基地局１００及びピコセル基地局２００ｃ双方の通信範囲にあるか否か判定する。セル判定部３２１は、マクロセル基地局１００及びピコセル基地局２００ｃ双方の通信範囲にあると判定した場合、制御部３１１ｃから入力された移動速度情報が示す移動局５００ｃの移動速度に基づいて、ピコセル基地局２００ｃにプライマリコンポーネントキャリアを割り当てるか否か判定する。
一方、セル判定部３２１は、マクロセル基地局１００及びピコセル基地局２００双方の通信範囲にないと判定した場合、ピコセル基地局２００ｃにプライマリコンポーネントキャリアを割り当てるか否かの判定を行わない。
【００９６】
具体的には、例えば、セル判定部３２１は、移動速度が予め決められた閾値速度より遅い場合すなわち低速の場合、ピコセル基地局２００ｃにプライマリコンポーネントキャリアを割り当てるか否か判定する。ここで、移動速度が予め決められた閾値速度より遅い場合には、停止を含むものとする。セル判定部３２１は、ＰＣＣとＳＣＣの切り替えを指示する切替指示信号を制御部３１１ｃへ出力する。制御部３１１ｃは、この切替指示信号がセル判定部３２１から入力された場合、切替要求をマクロセル基地局１００ｃへ通知する。
また、セル判定部３２１は、ＰＣＣが割り当てられた基地局を示すＰＣＣ基地局情報及びＳＣＣが割り当てられた基地局を示すＳＣＣ基地局情報を保持する。
【００９７】
図７は、第３の実施形態における通信システム１ｃの処理の一例を示すシーケンス図である。同図のシーケンスでは、移動局５００ｃがマクロセル基地局１００ｃをＰＣＣに割り当て、ピコセル基地局２００をＳＣＣに割り当ててＣＡ通信を行いながら、図１の位置Ｐ１１から位置Ｐ１２移動するケースを想定する。マクロセル基地局１００ｃは周期的に移動局５００ｃの移動速度を測定し、コアネットワーク制御装置３００ｃに報告する。コアネットワーク制御装置３００ｃはピコセル基地局２００ｃをＳＣＣとしてＣＡ通信していることを把握しつつ、マクロセル基地局１００からの移動速度結果を監視する。ここで、コアネットワーク制御装置３００ｃは移動局５００ｃがピコセル基地局２００ｃをＳＣＣとして利用していることをセル判定部３２１で記憶している。
【００９８】
そして、移動局５００ｃが図１の位置Ｐ１２の地点で静止（または低速移動）しているとき、コアネットワーク制御装置３００ｃは、移動局５００ｃがピコセル基地局２００ｃの領域内にしばらく滞在すると判断する。そして、通信システム１ｃは、ピコセル基地局２００をデータ情報のみ送信するＳＣＣから制御情報とデータ情報を送信するＰＣＣに変更する。上記の処理の詳細を以下説明する。
【００９９】
まず、Ｔ２０１において、移動局５００ｃは、ＰＣＣとしてマクロセル基地局１００ｃと通信する。次に、Ｔ２０２において、Ｔ２０１と並行して、移動局５００ｃは、ＳＣＣとしてピコセル基地局２００ｃと通信する。次に、Ｔ２０３において、マクロセル基地局１００ｃは、速度検出結果をコアネットワーク制御装置３００ｃへ報告する。
【０１００】
次に、Ｔ２０４において、コアネットワーク制御装置３００ｃのセル判定部３２１は、マクロセル基地局１００ｃから受信した速度検出結果から移動速度が高速の場合、ＰＣＣとＳＣＣの割り当てを切り替えないと判定する。
次に、Ｔ２０５において、移動局５００ｃは、ＰＣＣとしてマクロセル基地局１００ｃと通信する。次に、Ｔ２０６において、Ｔ２０５と並行して、移動局５００ｃは、ＳＣＣとしてピコセル基地局２００ｃと通信する。次に、Ｔ２０７において、マクロセル基地局１００ｃは、速度検出結果をコアネットワーク制御装置３００ｃへ報告する。
【０１０１】
次に、Ｔ２０８において、速度検出結果から、移動局５００ｃの移動速度がゼロである場合すなわち移動局５００ｃが静止している場合、コアネットワーク制御装置３００ｃのセル判定部３２１は、ＰＣＣとＳＣＣの割り当てを切り替えると判定する。
【０１０２】
次に、Ｔ２０９において、コアネットワーク制御装置３００ｃは、ＳＣＣとして利用していたＣＣ＿ＢをＰＣＣとして利用するように、マクロセル基地局１００へ切替要求通知を送信する。次に、Ｔ２１１において、ＰＣＣ（ＣＣ＿Ａ）で移動局５００ｃへ切替要求通知を送信する。
【０１０３】
次に、Ｔ２１１において、コアネットワーク制御装置３００ｃは、ピコセル基地局２００ｃに対してＨＯを要求する。これにより、ピコセル基地局２００は、コアネットワーク制御装置３００からのＨＯ要求に従ってＨＯの準備をする。
次に、Ｔ２１２において、ピコセル基地局２００ｃは、ＨＯ準備完了後、ＨＯを許諾する旨のＨＯ応答をコアネットワーク制御装置３００ｃへ送信する。次に、Ｔ２１３において、コアネットワーク制御装置３００ｃは、ピコセル基地局２００ｃから受信したＨＯ応答をマクロセル基地局１００ｃへ送信する。
【０１０４】
次に、Ｔ２１４において、マクロセル基地局１００ｃはＨＯ応答を受信した場合、そのＨＯ応答を移動局５００ｃへ送信する。次に、Ｔ２１５において、移動局５００ｃは、ピコセル基地局２００へＨＯするため、ランダムアクセス要求をピコセル基地局２００ｃへする。
【０１０５】
次に、Ｔ２１６において、ピコセル基地局２００ｃは、そのランダムアクセス要求に応じて、ランダムアクセス応答を移動局５００ｃへ送信する。そして、Ｔ２１７において、ピコセル基地局２００ｃは、ランダムアクセス処理が完了した場合、マクロセル基地局１００へＨＯ処理が完了したことを示すＨＯ完了応答をコアネットワーク制御装置３００へ送信する。そして、Ｔ２１８において、コアネットワーク制御装置３００は、ピコセル基地局２００ｃから受信したＨＯ完了応答をマクロセル基地局１００ｃへ送信する。
【０１０６】
次に、Ｔ２１９において、移動局５００ｃ、マクロセル基地局１００ｃ及びピコセル基地局２００ｃは、ＰＣＣとＳＣＣを割り当てる基地局を切り替える。これにより、Ｔ２２０において、マクロセル基地局１００ｃは、ＳＣＣで移動局５００ｃとの通信を開始する。また、Ｔ２２１において、ピコセル基地局２００は、ＰＣＣで移動局５００ｃとの通信を開始する。以上で、本シーケンスの処理を終了する。
【０１０７】
図８は、第３の実施形態におけるコアネットワーク制御装置３００ｃの処理の流れの一例を示すフローチャートである。本フローチャートのコアネットワーク制御装置３００ｃの処理は、図４の移動局５００の処理と同様の処理である。
まず、ステップＳ２０１において、移動局５００は、マクロセル基地局１００に割り当てられたＰＣＣとピコセル基地局２００に割り当てられたＳＣＣでＣＡを実行する。
次に、ステップＳ２０２において、コアネットワーク制御装置３００ｃのセル判定部３２１は、ＳＣＣがピコセル基地局２００に割り当てられている否か判定する。ＳＣＣがピコセル基地局２００に割り当てられていない場合（ステップＳ２０２  ＮＯ）、移動局５００は、ＰＣＣがピコセル基地局２００に割り当てられた通信を維持し、ステップＳ２０１の処理に戻る。
【０１０８】
一方、ＳＣＣがピコセル基地局２００に割り当てられている場合（ステップＳ２０２  ＹＥＳ）、セル判定部３２１は、移動局５００の移動速度をマクロセル基地局１００ｃの速度検出部１４１から取得し、（ステップＳ２０４）、ステップＳ２０５の処理へ進む。
次に、ステップＳ２０５において、セル判定部３２１は、移動速度がゼロまたは低速であるか否か判定する。移動速度がゼロまたは低速でない場合（ステップＳ２０５  ＮＯ）、セル判定部５７１はＰＣＣがマクロセル基地局１００ｃに割り当てられた通信を維持すると判定し、ステップＳ２０１の処理に戻る。
【０１０９】
一方、ステップＳ２０５において、移動速度がゼロまたは低速である場合（ステップＳ２０５  ＹＥＳ）、セル判定部３２１はＰＣＣとＳＣＣの割り当ての切り替えを決定する（ステップＳ２０７）。次に、ステップＳ２０８において、マクロセル基地局１００ｃは、ＰＣＣで移動局５００ｃへ切替要求を通知する（図７のＴ２１０に対応）。次に、ステップＳ２０９において、マクロセル基地局１００ｃは、ＰＣＣで移動局５００ｃへＨＯ要求を送信する（図７のＴ２１４に対応）。
【０１１０】
次に、ステップＳ２１０において、移動局５００は、ピコセル基地局２００に対してランダムアクセス要求を送信するＨＯ処理を行う（図７のＴ２１５に対応）。次に、ＨＯ処理が完了した場合、ステップＳ２１１において、移動局５００ｃ、マクロセル基地局１００ｃ及びピコセル基地局２００ｃは、ＰＣＣとＳＣＣの割り当てを切り替える。すなわち、移動局５００ｃ、マクロセル基地局１００ｃ及びピコセル基地局２００ｃは、ＣＣ＿ＢをＰＣＣとし、ＣＣ＿ＡをＳＣＣとする。以上で、本フローチャートの処理を終了する。
【０１１１】
＜第３の実施形態の効果＞
以上、第３の実施形態におけるマクロセル基地局１００ｃは、移動局５００ｃがマクロセル基地局１００ｃとピコセル基地局２００ｃでＣＡを実行中に、移動局５００ｃの移動速度の検出を行う。そして、コアネットワーク３００ｃのセル判定部３２１が、移動局５００ｃの静止もしくは低速移動を検出した場合、ＰＣＣを割り当てる基地局をマクロセル基地局１００ｃからピコセル基地局２００ｃに変更すると判定する。移動局５００ｃは、マクロセル基地局の通信品質がピコセル基地局２００の通信品質より良くてもこの処理を実行する。
【０１１２】
これにより、マクロセル基地局１００ｃは、負荷をピコセル基地局２００ｃへ分散させることができるので、マクロセル基地局１００ｃの負荷を減らすことができる。また、ユーザがマクロセル基地局１００ｃに集中することを軽減することができ、輻輳の可能性を低くすることができる。
また、第３の実施形態の構成によれば、移動局５００ｃが速度または位置の検出を行わないので、移動局５００ｃの負荷を軽減することができる。
【０１１３】
また、従来のマクロセル基地局は、セルサイズの大きいマクロセル基地局を多数のユーザが利用する可能性があるので、リソース割り当てが十分取れないという問題があった。それに対し、本実施形態によれば、ＰＣＣをピコセル基地局２００ｃに割り当てることにより、マクロセル基地局１００ｃのリソースを開けておくので、多数のユーザがマクロセル基地局１００を利用することができる。
【０１１４】
なお、第３の実施形態では、第１の実施形態と同様に、セル判定部３２１が、移動局５００ｃの移動速度だけに基づいて、ＰＣＣとＳＣＣの割り当ての切り替えを判定したが、これに限ったものではない。セル判定部３２１は、移動速度のみではなく、セルのサイズ等、各基地局固有の値を考慮して判定してもよい。
【０１１５】
また、マクロセル基地局１００ｃは、セル判定部３２１は、移動局５００ｃの移動速度とＰＣＣの受信品質とＳＣＣの受信品質とに基づいて、ＰＣＣとＳＣＣの割り当ての切り替えを判定してもよい。この判定処理を、以下の処理により実現してもよい。マクロセル基地局１００ｃは、ＰＣＣの受信品質とＳＣＣの受信品質を、それぞれ移動局５００ｃからのＭｅａｓｕｒｅｍｅｎｔ  Ｒｅｐｏｒｔ  ｍｅｓｓａｇｅから確認してもよい。ここで、各基地局の品質については、ＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ）又はパスロスを用いることで確認してもよい。
そして、マクロセル基地局１００が、移動局５００ｃの静止（または低速移動）を検出した場合、静止（または低速移動）である旨を示す移動速度結果とＰＣＣの受信品質とＳＣＣの受信品質をコアネットワーク制御装置３００ｃへ報告する。
【０１１６】
コアネットワーク制御装置３００ｃは、マクロセル基地局１００から受信した移動速度結果とＰＣＣの受信品質とＳＣＣの受信品質を確認する。ＰＣＣの受信品質とＳＣＣの受信品質の差が閾値Ｓｐ［ｄＢ］以内であれば（Ｐ−Ｓ≦Ｓｐ）、コアネットワーク制御装置３００ｃは、マクロセル基地局１００へＳＣＣとして利用していたＣＣ＿ＢをＰＣＣとして利用するように切替要求を通知してもよい。
【０１１７】
もしくは、マクロセル基地局１００ｃが、移動速度とＰＣＣの受信品質とＳＣＣの受信品質の差が閾値Ｓｐ［ｄＢ］以内であるか否かを判定する。移動速度がゼロ（または低速）かつ受信品質の差が閾値Ｓｐ［ｄＢ］以内（Ｐ−Ｓ≦Ｓｐ）であれば、マクロセル基地局１００ｃは、ＳＣＣとして利用していたＣＣ＿ＢをＰＣＣとして利用するように切替要求をコアネットワーク制御装置３００ｃへ通知してもよい。
【０１１８】
ここで、閾値Ｓｐの値は、移動速度応じて変更されてもよい。例えば、静止または低速移動の場合には、閾値Ｓｐの値を中速時よりも大きくしてもよい。これにより、コアネットワーク制御装置３００へＰＣＣとＳＣＣの切替を要求するための条件が満たしやすくなる。また、移動局５００ｃの移動速度が遅いほど、閾値Ｓｐが大きくなる傾向に変更されてもよい。
【０１１９】
上記の処理をまとめると、セル判定部３２１は、移動局装置の移動速度と、プライマリコンポーネントキャリアの受信品質及びセカンダリコンポーネントキャリアの受信品質の差に基づいて、ピコセル基地局２００ｃにプライマリコンポーネントキャリアを割り当てるか否か判定してもよい。より詳細には、セル判定部３２１は、移動局装置の移動速度と、プライマリコンポーネントキャリアの受信品質及びセカンダリコンポーネントキャリアの受信品質の差と移動局装置の移動速度に応じた閾値との比較に基づいて、ピコセル基地局２００ｃにプライマリコンポーネントキャリアを割り当てるか否か判定してもよい。
【０１２０】
また、例えば、セル判定部３２１は、移動局５００ｃが静止（または低速移動）しており、かつセカンダリコンポーネントキャリアの受信品質が予め決められた閾値受信品質より良い場合に、ピコセル基地局２００ｃにプライマリコンポーネントキャリアを割り当てるか否か判定してもよい。すなわち、セル判定部３２１は、移動局５００ｃの移動速度とセカンダリコンポーネントキャリアの受信品質に基づいて、ピコセル基地局２００ｃにプライマリコンポーネントキャリアを割り当てるか否か判定してもよい。
【０１２１】
＜第４の実施形態＞
続いて、第４の実施形態について説明する。第３の実施形態においてマクロセル基地局１００ｃは、移動局５００ｃが静止（または低速移動）していることを、移動局５００ｃの移動速度を検出することで判断した。第４の実施形態におけるマクロセル基地局１００ｄは、は、速度検出の代わりにＧＰＳ（Ｇｌｏｂａｌ  Ｐｏｓｉｔｉｏｎｉｎｇ  Ｓｙｓｔｅｍ）測位を周期的に行うことにより、静止（または低速移動）していることを判定する。
【０１２２】
図９は、第４の実施形態における通信システム１ｄの構成を示す概略ブロック図である。なお、図２と共通する要素には同一の符号を付し、その具体的な説明を省略する。図９の通信システム１ｄの構成は、図２の通信システム１の構成に対して、移動局５００が移動局５００ｄに変更され、マクロセル基地局１００がマクロセル基地局１００ｄに変更され、移動局５００が移動局５００ｄに変更されたものとなっている。
【０１２３】
第４の実施形態の通信システム１ｄの処理の概要について説明する。コアネットワーク制御装置３００は、移動局５００ｄから周期的にＧＰＳ測位の結果を報告させることにより、移動局５００ｄの位置を把握する。コアネットワーク制御装置（ネットワーク制御装置）３００ｄが、移動局５００ｄがピコセル基地局２００ｄ内に滞在していると判定した場合、移動局５００ｄへＰＣＣとＳＣＣの割り当ての切り替えを要求する。移動局５００ｄは切り替え要求に基づいて、ＰＣＣとＳＣＣの割り当ての切り替え処理を行う。
【０１２４】
図９の移動局５００ｄの構成は、図２の移動局５００の構成に対して、速度検出部５６１が削除されて、ＧＰＳ受信部５８１が追加され、制御部５５１が制御部５５１ｄに変更されたものになっている。ＧＰＳ受信部５８１は、第２の実施形態のＧＰＳ受信部５８１と同様の処理を行うので、その説明を省略する。
制御部５５１ｄが、ＧＰＳ受信部５８１から入力された位置情報をＧＰＳ測位結果として、Ｐ送信部５３２からマクロセル基地局１００ｄへ送信する。
【０１２５】
図９のマクロセル基地局１００ｄの構成は、図２のマクロセル基地局１００の構成に対して、制御部１３１が制御部１３１ｄに変更されたものになっている。制御部１３１ｄは、移動局５００ｄから送信されたＧＰＳ測位結果をコアネットワーク制御装置３００ｄに送信する。
【０１２６】
図９のコアネットワーク制御装置３００ｄの構成は、図２のコアネットワーク制御装置３００の構成に対して、セル判定部（判定部）３２１ｄが追加されたものになっている。セル判定部３２１ｄは、図６の第３の実施形態のセル判定部３２１と同様の機能を有するが、以下の点で異なる。
【０１２７】
セル判定部３２１ｄは、マクロセル基地局１００ｄから送信されたＧＰＳ測位結果に基づいて、移動局５００ｄがマクロセル基地局１００及びピコセル基地局２００双方の通信範囲にあるか否か判定する。移動局５００ｄがマクロセル基地局１００及びピコセル基地局２００双方の通信範囲にある場合、セル判定部３２１ｄは、マクロセル基地局１００ｄから送信されたＧＰＳ測位結果に基づいて、移動局５００ｄの移動速度を算出する。そして、セル判定部３２１ｄは、算出した移動速度に基づいて、ピコセル基地局２００にプライマリコンポーネントキャリアを割り当てるか否か判定する。
一方、移動局５００ｄがマクロセル基地局１００及びピコセル基地局２００双方の通信範囲にない場合、移動速度を算出せず、ピコセル基地局２００にプライマリコンポーネントキャリアを割り当てるか否か判定しない。
【０１２８】
図１０は、第４の実施形態における通信システム１ｄの処理の一例を示すシーケンス図である。同図のシーケンスでは、移動局５００ｄがマクロセル基地局１００ｄをＰＣＣに割り当て、ピコセル基地局２００をＳＣＣに割り当ててＣＡ通信を行いながら、図１の位置Ｐ１１から位置Ｐ１２移動するケースを想定する。
【０１２９】
まず、Ｔ３０１において、移動局５００ｄは、ＰＣＣとしてマクロセル基地局１００ｄと通信する。次に、Ｔ３０２において、Ｔ３０１と並行して、移動局５００ｄは、ＳＣＣとしてピコセル基地局２００と通信する。次に、Ｔ３０３において、移動局５００ｄは、移動局５００ｄの現在位置を取得し、取得した現在位置を示すＧＰＳ測位結果をマクロセル基地局１００ｄへ送信する。
【０１３０】
次に、Ｔ３０４において、マクロセル基地局１００ｄは、移動局５００ｄから受信したＧＰＳ測位結果をコアネットワーク制御装置３００ｄへ送信する。
次に、Ｔ３０５において、コアネットワーク制御装置３００ｄのセル判定部３２１ｄは、マクロセル基地局１００ｄから受信したＧＰＳ測位結果に基づいて、移動局５００ｄの移動速度を算出する。そして、セル判定部３２１ｄは、算出した移動速度が高速の場合、マクロセル基地局１００ｄとピコセル基地局２００との間で、ＰＣＣとＳＣＣの割り当てを切り替えないと判定する。
【０１３１】
次に、Ｔ３０６において、移動局５００ｄは、ＰＣＣとしてマクロセル基地局１００ｄと通信する。次に、Ｔ３０７において、Ｔ３０６と並行して、移動局５００ｄは、ＳＣＣとしてピコセル基地局２００と通信する。
次に、Ｔ３０８において、移動局５００ｄは、移動局５００ｄの現在位置を取得し、取得した現在位置を示すＧＰＳ測位結果をマクロセル基地局１００ｄへ送信する。
次に、Ｔ３０９において、マクロセル基地局１００ｄは、移動局５００ｄから受信したＧＰＳ測位結果をコアネットワーク制御装置３００ｄへ送信する。
【０１３２】
次に、Ｔ３１０において、コアネットワーク制御装置３００ｄのセル判定部３２１ｄは、マクロセル基地局１００ｄから受信したＧＰＳ測位結果に基づいて、移動局５００ｄの移動速度を算出する。そして、セル判定部３２１ｄは、算出した移動速度がゼロすなわち移動局５００ｄが静止している場合、マクロセル基地局１００ｄとピコセル基地局２００との間で、ＰＣＣとＳＣＣの割り当てを切り替えると判定する。
【０１３３】
Ｔ３１１〜Ｔ３２３の処理は、図７のＴ２０９〜Ｔ２２１の処理と同一であるので、その説明を省略する。以上で、本シーケンスの処理を終了する。
【０１３４】
＜第４の実施形態の効果＞
以上、第４の実施形態によれば、コアネットワーク制御装置３００ｄのセル判定部３２１ｄは、ＧＰＳ測位結果に基づいて、移動局５００ｄの移動速度を算出する。そして、セル判定部３２１ｄは、算出した移動速度に基づいて、ピコセル基地局２００にプライマリコンポーネントキャリアを割り当てるか否か判定する。
【０１３５】
これにより、マクロセル基地局１００ｄは、負荷をピコセル基地局２００へ分散させることができるので、マクロセル基地局１００ｄの負荷を減らすことができる。また、ユーザがマクロセル基地局１００ｄに集中することを軽減することができ、輻輳の可能性を低くすることができる。
【０１３６】
また、従来のマクロセル基地局は、セルサイズの大きいマクロセル基地局を多数のユーザが利用する可能性があるので、リソース割り当てが十分取れないという問題があった。それに対し、本実施形態によれば、ＰＣＣをピコセル基地局２００に割り当てることにより、マクロセル基地局１００ｄのリソースを開けておくので、多数のユーザがマクロセル基地局１００ｄを利用することができる。
【０１３７】
なお、第４の実施形態では、セル判定部３２１ｄは、算出した移動速度に基づいて、ＰＣＣとＳＣＣの割り当てを切り替えるか否か判定したがこれに限ったものではない。第４の実施形態の変形例において、セル判定部３２１ｄは、ＧＰＳ測位結果が示す移動局５００ｄの現在位置に基づいて、ＰＣＣとＳＣＣの割り当てを切り替えてもよい。具体的には、例えば、セル判定部３２１ｄは、移動局５００ｄの現在位置がピコセル基地局２００の通信範囲内であるか否か判定する。そして、セル判定部３２１ｄは、ピコセル基地局２００の通信範囲内である場合、ＰＣＣとＳＣＣの割り当てを切り替えて、ピコセル基地局２００にＰＣＣを割り当て、マクロセル基地局１００ｄにＳＣＣを割り当ててもよい。
【０１３８】
以上の第４の実施形態本文と、第４の実施形態の変形例における処理とに鑑みると、セル判定部３２１ｄは、マクロセル基地局１００ｄ及びピコセル基地局２００双方の通信範囲にある移動局装置の移動に関する情報に基づいて、マクロセル基地局１００ｄとピコセル基地局２００との間で、ＰＣＣとＳＣＣの割り当てを切り替えるか否か判定する。ここで、移動に関する情報は、例えば、移動局５００ｄの移動速度又は移動局５００ｄの位置である。
【０１３９】
＜各実施形態の変形例＞
上記、各実施形態において、通信システムの各装置が、ＰＣＣとＳＣＣを切り替えるときに、ＨＯ要求や、ＨＯ応答などで、ＨＯ（ハンドオーバー）のメッセージを利用したが、これに限ったものではない。各実施形態において、通信システムの各装置は、ＣＣ切り替え要求，ＣＣ切替応答などの別なメッセージを設けて通知してもよい。
【０１４０】
また、各実施形態において、通信システムの各装置は、ＨＯに関するメッセージの中に、ＣＣ切り替えのための別なパラメータを追加することで、従来のＨＯ要求と本変形例で用いるＣＣ切替要求を区別してもよい。具体的には、現在の規格のＨＯ処理では、別な新たな周波数帯を利用して通信を開始すると、ＨＯ後にあらかじめ接続している通信は、切断処理してしまう。それに対し、本変形例では、最初にＰＣＣとして接続していたＣＣの通信の切断処理を行わず、ＳＣＣとして通信を継続する目的のためのパラメータを追加してもよい。また、移動局は、ランダムアクセス要求及びランダムアクセス応答を利用せずにピコセル基地局に接続してもよい。
【０１４１】
各実施形態では、移動局とマクロセル基地局との間、又は移動局とピコセル基地局との間は、すでに通信接続が確立されており、移動局と各基地局とは、通信タイミングが分かっている。そこで、各実施形態において、通信システムは、ＣＣ切替要求を通知する以前のタイミング情報を流用しながら、ＰＣＣとＳＣＣの割り当てを切り替えてもよい。
【０１４２】
なお、各実施形態において、マクロセル基地局の通信範囲がピコセル基地局の通信範囲を包含する例について説明したが、これに限らず、マクロセル基地局の通信範囲とピコセル基地局の通信範囲が少なくとも一部重複していればよい。
また、各実施形態において、移動局又はコアネットワーク制御装置がマクロセル判定部を備えるとして説明したが、これに限らず、マクロセル基地局又はピコセル基地局がマクロセル判定部を備える構成でもよい。すなわち、通信システム１が有するいずれか一つの装置が、マクロセル判定部を備えていればよい。
【０１４３】
また、各実施形態において、ピコセル基地局の通信範囲に移動局が入った当初から、移動局の移動速度が予め決められた閾値速度より遅い場合すなわち低速移動の場合、セル判定部は、その当初からピコセル基地局にプライマリコンポーネントキャリアを割り当てると判定してもよい。このことから、セル判定部は、移動局の移動に関する情報に基づいて、ピコセル基地局にプライマリコンポーネントキャリアを割り当てると判定してもよい。
【０１４４】
また、各実施形態の移動局装置またはコアネットワーク制御装置の各処理を実行するためのプログラムをコンピュータ読み取り可能な記録媒体に記録して、当該記録媒体に記録されたプログラムをコンピュータシステムに読み込ませ、実行することにより、移動局装置またはコアネットワーク制御装置に係る上述した種々の処理を行ってもよい。
【０１４５】
なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１４６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１４７】
以上、本発明の実施形態について図面を参照して詳述したが、具体的な構成はこの実施形態に限られるものではなく、この発明の要旨を逸脱しない範囲の設計等も含まれる。
【符号の説明】
【０１４８】
１、１ｂ、１ｃ、１ｄ  通信システム
１００、１００ｃ、１００ｄ  マクロセル基地局
１１２  Ａ送信部
１２２  Ａ受信部
１３１、１３１ｃ、１３１ｄ  制御部
１００、１００ｃ  ピコセル基地局
１４１  速度検出部
２１２  Ｂ送信部
２２２  Ｂ受信部
２３１、２３１ｃ  制御部
３００、３００ｃ、３００ｄ  コアネットワーク制御装置（ネットワーク制御装置）
３１１  ３１１ｃ  制御部
３２１、３２１ｄ  セル判定部（判定部）
５００、５００ｂ  移動局（移動局装置）
５１２  Ｐ受信部
５２２  Ｓ受信部
５３２  Ｐ送信部
５４２  Ｓ送信部
５５１、５５１ｂ、５５１ｃ、５５１ｄ  制御部
５６１  速度検出部
５７１、５７１ｂ  セル判定部（判定部）
５８１  ＧＰＳ受信部
【図１】
0005879662.tif 000002
【図２】
0005879662.tif 000003
【図３】
0005879662.tif 000004
【図４】
0005879662.tif 000005
【図５】
0005879662.tif 000006
【図６】
0005879662.tif 000007
【図７】
0005879662.tif 000008
【図８】
0005879662.tif 000009
【図９】
0005879662.tif 000010
【図１０】
0005879662.tif 000011